(57)【特許請求の範囲】
【請求項１】
商用電源から住戸に供給される電力量が測定され無線信号を介して受信された測定電力量を表示する表示部と、該表示部が前面側に設けられ背面側を壁側として壁に取付可能な薄箱状の箱体とを有し、前記表示部を鉛直方向に対して傾斜させて前記箱体を立設支持し、前記箱体の背面側に配された背面支持カバーを前記箱体と着脱自在に備えており、
前記背面支持カバーが前記箱体に装着された状態で、前記表示部を鉛直方向に対して傾斜させる前記箱体の底面と、前記箱体に取り付けられた前記背面支持カバーの底面とが面一で同一の水平な面上に配置され、
前記背面支持カバーは、内部が空洞であり、矩形状の開口部が頂上側に向かって徐々に小さくなるように形成され、開口端部の上側において該開口端部の前方へ突出し先端部が上方に向かうＪ字状の係合突起部と、前記開口端部の下側において該開口端部の前方に突出する係合突出部と、を有し、
前記係合突出部は、先端に係止爪が形成されており、
前記箱体は、前記係合突起部の前記先端部が挿入される係合凹部と、前記係合突出部の前記係止爪と係合する係止孔とを有し、
前記背面支持カバーは、前記開口端部に沿って突出する嵌合突片が設けられており、
前記箱体は、前記嵌合突片と嵌合する嵌合凹所が設けられていることを特徴とする電力表示装置。
【請求項２】
前記背面支持カバーは、前記空洞において上下方向に立設した内壁を有し、
前記箱体は、外部からの電力を供給する電源コードの電源コネクタが差し込まれる差込部を背面に備えており、
前記背面支持カバーは、前記空洞の内部に窪んだ窪部が設けられており、
前記窪部は、前記背面支持カバーが前記箱体に装着された状態で、前記差込部と接続された前記電源コネクタの前記電源コードが前記窪部の凹部から外部に取り回しできるように設けられていることを特徴とする請求項１に記載の電力表示装置。
【請求項３】
前記箱体は、前記無線信号を受信するアンテナが側面に沿って回転可能に設けられ、
前記箱体は、前記アンテナが設けられた側面と反対の側面に開閉可能な蓋体を備えており、
前記背面支持カバーの側面には、前記蓋体の開閉が妨げられることを抑制する凹部が形成されていることを特徴とする請求項１または請求項２に記載の電力表示装置。
【発明の詳細な説明】
【技術分野】
【０００１】
本発明は、電力表示装置に関するものである。
【背景技術】
【０００２】
近年、省エネルギ化に対する関心がより高まっており、それに伴い工場、オフィスビルなどの比較的大電力を消費する場所に限らず、一般住宅の宅内においても電力監視システムが設置されるようになっている。
【０００３】
この種の電力監視システムとして、分電盤内に配設されて負荷機器の使用電力を検出する電力量測定装置として機能する電力検出器と、分電盤とは別に配設され電力検出器（図示していない）により検出された使用電力を図６に示すような表示器３０に表示するものが知られている（たとえば、特許文献１を参照。）。
【０００４】
ここで、表示器３０は、器体３１の前面に、表示部３２、現在日時や各種データなどの各設定項目を設定したり選択する際に用いる設定送りスイッチＳＷ１、各設定項目の数値を増加させる数値増加設定スイッチＳＷ２、各設定項目の数値を減少させる数値減少設定スイッチＳＷ３が設けられている。同様に、器体３１の前面には、表示部３２の表示を切り替える第１の表示切替スイッチＳＷ４、表示部３２の表示を切り替える第２の表示切替スイッチＳＷ５、報知部を構成する発光ダイオードの前方に配置された透光部３３ａが設けられている。
【０００５】
また、表示器３０は、埋込型の配線器具と同様に、取付枠（図示していない）を用いて取付施工ができるように大角連用形の配線器具における２連モジュール寸法の器体３１が用いられている。表示器３０は、図６において、上記取付枠に表示器３０の器体３１を取着して上記取付枠の前面側に埋込型の配線器具用のプレート５０を装着した状態が示されている。なお、プレート５０は、上記取付枠にプレートねじ（図示せず）を用いて取り付けられる矩形枠状のプレート枠５２と、埋込型の配線器具の前面を露出させる開口窓５１ａを有しプレート枠５２の前面を覆う形でプレート枠５２に取り付けられる化粧プレート枠５１とで構成されている。
【０００６】
特許文献１に記載の電力表示装置として機能する表示器３０は、上記取付枠および図示していない壁面に設置された埋込型の配線器具用の埋込ボックスを利用して、壁面側に取り付けられる。これにより、表示器３０は、分電盤とは別に壁面に取り付けることができ、住宅内の任意の場所に設置することが可能で使い勝手がよい、としている。
【先行技術文献】
【特許文献】
【０００７】
【特許文献１】特開２００１−１８３３９９号公報
【発明の概要】
【発明が解決しようとする課題】
【０００８】
ところで、電力表示装置をどのような場所に設置するかは、住戸人の生活様式によるところが大きい。たとえば、住戸人が毎日、起床後の朝一番に電力量測定装置により測定された測定電力量（使用電力、使用電力を積算した積算使用電力量など）を確認したい場合、住戸人は、リビングや台所に電力表示装置の設置を要望する場合が多いと考えられる。
【０００９】
しかしながら、電力表示装置が埋込型の配線器具と同様に、上記取付枠を用いて取付施工させる構造だけでは、電力表示装置の施工時に設置した初期の位置に電力表示装置が固定される。そのため、住戸人が、たとえば、新居において住戸人の生活様式を把握する前に、壁面に穴を開けて電力表示装置を取り付けた場合、生活様式に合わなければ使い勝手が悪いという不具合が生ずる。
【００１０】
本発明は上記事由に鑑みてなされたものであり、その目的は、比較的簡単に設置形態を卓上タイプと壁掛タイプとに変更可能な電力表示装置を提供することにある。
【課題を解決するための手段】
【００１１】
本発明の電力表示装置は、商用電源から住戸に供給される電力量が測定され無線信号を介して受信された測定電力量を表示する表示部と、該表示部が前面側に設けられ背面側を壁側として壁に取付可能な薄箱状の箱体とを有し、上記表示部を鉛直方向に対して傾斜させて上記箱体を立設支持し、上記箱体の背面側に配された背面支持カバーを上記箱体と着脱自在に備えており、上記背面支持カバーが上記箱体に装着された状態で、上記表示部を鉛直方向に対して傾斜させる上記箱体の底面と、上記箱体に取り付けられた上記背面支持カバーの底面とが面一で同一の水平な面上に配置され、上記背面支持カバーは、内部が空洞であり、矩形状の開口部が頂上側に向かって徐々に小さくなるように形成され、開口端部の上側において該開口端部の前方へ突出し先端部が上方に向かうＪ字状の係合突起部と、上記開口端部の下側において該開口端部の前方に突出する係合突出部と、を有し、上記係合突出部は、先端に係止爪が形成されており、上記箱体は、上記係合突起部の上記先端部が挿入される係合凹部と、上記係合突出部の上記係止爪と係合する係止孔とを有し、上記背面支持カバーは、上記開口端部に沿って突出する嵌合突片が設けられており、上記箱体は、上記嵌合突片と嵌合する嵌合凹所が設けられていることを特徴とする。 
【発明の効果】
【００１２】
本発明の電力表示装置は、比較的簡単に設置形態を卓上タイプと壁掛タイプとに変更可能になるという効果がある。
【図面の簡単な説明】
【００１３】
【図１】本実施形態の電力表示装置を示し、（ａ）は概略斜視図、（ｂ）は概略斜視分解図である。
【図２】本実施形態の電力表示装置を示し、（ａ）は正面図、（ｂ）は上面図、（ｃ）は右側面図である。
【図３】同上の電力表示装置の図２（ｂ）におけるＸＸ略断面図である。
【図４】同上の電力表示装置の要部の背面図である。
【図５】本実施形態の電力表示装置と、電力量測定装置とを備えた電力監視システムの概略ブロック図である。
【図６】従来の表示器を示し、（ａ）は正面図、（ｂ）は下面図、（ｃ）は側面図である。
【発明を実施するための形態】
【００１４】
以下、図１ないし図５に基づき、本実施形態の電力表示装置１０について説明する。なお、各図の紙面の上下左右を上下左右として、各構成を説明する。また、図１ないし図５において同じ部材に対しては、同じ番号を付して重複する説明を省略する。
【００１５】
本実施形態の電力表示装置１０は、商用電源から住戸に供給される電力量を測定する後述の電力量測定装置２０（図５を参照）から送信された無線信号を受信する。本実施形態の電力表示装置１０は、図１に示すように、上記無線信号を介して受信された測定電力量（使用電力や積算使用電力量など）を表示する表示部１と、表示部１が前面側に設けられ背面側を後述する壁側として壁に取付可能な薄箱状の箱体４０とを有している。
【００１６】
特に、本実施形態の電力表示装置１０は、表示部１を鉛直方向に対して傾斜させて箱体４０を立設支持し、箱体４０の背面側に配された背面支持カバー４５を箱体４０と着脱自在に備えている。
【００１７】
ここで、本実施形態の電力表示装置１０を用いた電力監視システムについて、以下に簡単に説明する。電力監視システムは、図５に示すように、商用電源から住戸に供給される電力量を測定する電力量測定装置２０と、電力量測定装置２０により測定された測定電力量を表示する電力表示装置１０とを備えて構成している。
【００１８】
電力量測定装置２０は、商用電源から住戸内に供給される電力量を検出する検出部２１を備えている。検出部２１は、たとえば、単相３線の商用電源の電圧線Ｌ１・中性線Ｎ間および電圧線Ｌ２・中性線Ｎ間との出力電圧（瞬時電圧値）を測定するように分電盤（図示していない）に接続されている。また、検出部２１は、出力電圧とは別途に、電圧線Ｌ１に設けられるカレントトランスＣＴ１および電圧線Ｌ２に設けられるカレントトランスＣＴ２からの各々の出力電流（瞬時電流値）を測定するように分電盤（図示していない）に設けられている。電力量測定装置２０は、検出部２１で検出した出力電流と出力電圧とを用いて、マイクロコンピュータからなる演算部２２が宅内の負荷機器が使用する使用電力や使用電力を積算した積算使用電力量などを演算する。電力量測定装置２０は、時刻を計時する時計部２３と、演算部２２で演算された使用電力や積算使用電力量などを記憶するデータ記憶部２５とを備えている。さらに、電力量測定装置２０は、演算部２２が演算した上記使用電力や上記積算使用電力量などを、上記使用電力を演算するための出力電流および出力電圧を検出した時刻や上記積算使用電力量を演算した時刻と共に記憶するようにデータ記憶部２５を制御する制御処理部２４を備えている。また、電力量測定装置２０は、無線信号送受信部２６および無線信号送受信部２６に接続されたアンテナ２６ｂを備えている。
【００１９】
電力量測定装置２０の制御処理部２４は、無線信号送受信部２６を制御してアンテナ２６ｂから上記測定電力量などのデータを電力表示装置１０側に送信する。なお、電力量測定装置２０の無線信号送受信部２６と、電力表示装置１０の無線信号送受信部６とは、相互に通信可能に構成している。
【００２０】
また、電力量測定装置２０は、図示していないが、太陽光発電システムと電気的に接続させている。太陽光発電システムは、太陽電池と、太陽電池からの直流電力を所定の交流電力に変換する電力変換器とを備えている。電力量測定装置２０は、たとえば、上述した商用電源から住戸に供給される電力量を測定する場合と同様に、検出部２１を利用して、電力変換器から出力される出力電流と出力電圧とを演算部２２で演算することにより、太陽電池の発電電力や発電電力を積算した積算発電電力量を測定することができる。さらに、電力量測定装置２０は、太陽電池の発電電力だけでなく、商用電源との系統連系により電力会社に売電する売電電力や売電電力を積算した積算売電電力量を測定してもよい。
【００２１】
次に、本実施形態の電力表示装置１０の構成について説明する。
【００２２】
本実施形態の電力表示装置１０は、電力量測定装置２０のアンテナ２６ｂから送信された上記測定電力量のデータを、アンテナ６ａを介して無線信号送受信部６で受信できるように構成している。電力表示装置１０は、上記測定電力量などを表示する表示部１と、表示部１への表示内容の選択や各種の設定を行うための操作入力部２と、表示部１を制御する制御部４とを備えている。さらに、電力表示装置１０は、時刻を計時する計時部３と、表示部１に上記測定電力量などを表示可能な所定の時間帯を記憶する記憶部５とを備えている。電力表示装置１０の制御部４は、計時部３の時刻が記憶部５に記憶した上記所定の時間帯であり、上記使用電力が予め定めた所定値以上であれば表示部１を駆動させる。
【００２３】
ここで、表示部１は、たとえば、液晶表示装置や有機ＥＬ表示装置などの表示装置により構成することができる。本実施形態の電力表示装置１０の表示部１は、タッチセンサ機能を有する液晶表示装置で構成しており、上記測定電力量を表示させる表示機能と、操作入力部２の操作入力機能とを合わせ持たせている。表示部１は、たとえば、図示していない矩形板状の導光部材と、導光部材の背面側の反射層と、導光部材の前面側の液晶装置とを備えて構成することができる。導光部材は、導光部材の一端側に発光ダイオードを設けてバックライトとして機能するように構成している。
【００２４】
液晶装置には、多数の画素を縦横にマトリクス状に配列したマトリクス表示型のものを用い画素の組み合わせによって文字や図形などを表示する。これにより、液晶装置は、商用電源から住戸に供給される電力量の監視に必要な情報を表示することができる。また、操作入力部２は、液晶装置の前面に配置している。操作入力部２は、透明なシート状部材に透明電極からなる接点部を多数個配列し、シート状部材に指などが触れた際にどの部位に触れたかを出力する抵抗感圧方式のタッチスイッチで構成している。なお、操作入力部２は、タッチセンサ機能を有する液晶表示装置で構成するだけではなく、押釦により構成してもよい。
【００２５】
電力表示装置１０の計時部３および制御部４は、主としてマイクロコンピュータなどにより構成することができる。電力表示装置１０の制御部４は、たとえば、計時部３の時刻が記憶部５に予め記憶した上記所定の時間帯であり、且つ上記使用電力が記憶部５に予め記憶させた上記所定値以上であれば、表示部１に、上記測定電力量などの表示を行う。そのため、制御部４は、表示部１における液晶装置の駆動やバックライトとなる発光ダイオードの点灯を制御する。特に、表示部１に用いられるバックライトの消費電力は、電力表示装置１０の駆動する上で比較的大きい。そのため、本実施形態の電力表示装置１０の制御部４は、上記使用電力が記憶部５に予め記憶させた上記所定値よりも小さければ表示部１を表示させずバックライトを消灯させるように制御を行うことで、不必要な電力の消費を抑制することができる。
【００２６】
なお、制御部４は、記憶部５に記憶させたプログラムにしたがって、電力量測定装置２０から送信された上記使用電力と、記憶部５に記憶させた上記所定値とを比較し表示部１の駆動を適宜に制御させればよい。
【００２７】
記憶部５は、たとえば、住戸人が予め設定した昼間の所定の時間帯、夜間の所定の時間帯など、住戸人が電力表示装置１０を駆動させたい時間帯を記憶させる記憶装置として機能する。また、記憶部５には、住戸人が電力表示装置１０を駆動させたい時間帯において表示部１に上記使用電力を表示させるための基準となる上記所定値を記憶させる記憶装置として機能する。なお、基準となる上記所定値としては、たとえば、常時に稼働する負荷機器（冷蔵庫など）の消費電力や各種のデジタル家庭用電気機器の待機電力などを総合計した値よりも高い値に設定すればよい。これにより、電力表示装置１０は、上記所定の時間帯において、たとえば、住戸人が上記デジタル家庭用電気機器のいずれか１つを待機中から駆動させることにより、上記総合計の値が上記所定値以上になれば、表示部１に上記測定電力量を表示することができる。
【００２８】
さらに、記憶部５は、過去の使用電力や積算使用電力量、年間のカレンダー情報などや制御部４を駆動させるプログラムを記憶させておいてもよい。記憶部５は、電気的に書換可能な不揮発性の半導体メモリ（たとえば、ＥＥＰＲＯＭなど）を用いて構成してもよいし、メモリカードなどの外部記録媒体を利用してもよい。外部記録媒体を用いる場合、電力表示装置１０は、図示していないメモリカードなどの外部記録媒体を装着するためのカードスロットやカードスロットと制御部４との間に介在するインタフェースを設けてもよい。メモリカードは、外部装置（パーソナルコンピュータなど）で過去の使用電力や積算使用電力量を確認できるように、たとえば、過去の使用電力や積算使用電力量を時間帯ごとに記憶させておけばよい。
【００２９】
電力表示装置１０の無線信号送受信部６は、たとえば、電気信号を電波に変換してアンテナ６ａから送信したり、アンテナ６ａを介して受信した電波を電気信号に変換する変換器を備えた構成とすればよい。無線信号送受信部６は、電力量測定装置２０側から送信された上記測定電力量のデータの無線信号を受信する。また、無線信号送受信部６は、住戸人が操作入力部２を操作して設定した各種の設定内容のデータを、無線信号送受信部６によりアンテナ６ａを介して電力量測定装置２０側に送信することができるように構成してもよい。
【００３０】
なお、本実施形態の電力表示装置１０は、外部から供給される電力により駆動する構造としている。電力表示装置１０は、外部から供給される電力により駆動する構造だけでなく、図示していない電池を内部に内蔵して電源として駆動させる構造としてもよい。
【００３１】
上述した電力表示装置１０は、予め設定した上記所定の時間帯であっても、たとえば、住戸人の不在中などで上記使用電力が上記所定値よりも低い場合には、電力表示装置１０が自動的に表示部１を表示することがない。そのため、電力表示装置１０は、不必要な電力の消費を抑えることができる。また、電力表示装置１０は、住戸人が起床し家電製品などの負荷機器を使い始めて上記使用電力が上記所定値以上となれば、電力量測定装置２０が計測した測定電力量を直ちに表示部１に表示させることができる。
【００３２】
このような構成の本実施形態の電力表示装置１０は、図１（ｂ）に示すように、薄箱状の箱体４０を備えている。箱体４０は、前面側の前面カバー４０ａと、背面側の有底角筒状である本体部４０ｂとで構成されている。箱体４０の前面側には、前面カバー４０ａに貫設された窓孔部４０ａａが設けられている。タッチセンサ機能を有する液晶表示装置で構成する表示部１は、窓孔部４０ａａから表示部１の画面が露出するように配置されている。液晶表示装置のタッチスイッチは、操作入力部２として機能する。電力表示装置１０には、制御部４などを構成する種々の電気部品４ａが箱体４０の内部に収納されている（図３を参照）。
【００３３】
また、電力表示装置１０は、前面カバー４０ａにおける表示部１の側方に、予め設定した上記所定の時間帯以外でも強制的に電力表示装置１０の電源の入力および上記測定電力量の表示などを開始できるように開始スイッチ４１を設けている。同様に、電力表示装置１０は、前面カバー４０ａにおける表示部１の側方に、表示部１への上記測定電力量の表示を強制的に終了させるための終了スイッチ４２を設けている。
【００３４】
本実施形態の電力表示装置１０では、太陽光発電システムの上記電力変換器と電気的に接続させている。そのため、電力表示装置１０は、商用電源から住戸に供給される電力量だけでなく、太陽電池が発電した発電電力および積算発電電力量、太陽電池で発電した余剰電力を商用電源側に系統連系させ電力会社に売電する売電電力および積算売電電力量などを個別に測定できるように構成している。
【００３５】
そのため、電力表示装置１０は、太陽電池が発電中であることを表示する発光ダイオードからなる発光表示部４３を、前面カバー４０ａにおける表示部１の側方に設けている。電力表示装置１０は、太陽電池が発電している場合に発光表示部４３を発光させ、太陽電池が発電していない場合に発光表示部４３を消灯させることができる。また、電力表示装置１０は、発光ダイオードなどにより構成させ、お知らせ情報を住戸人に知らせる点灯表示部４４を、前面カバー４０ａにおける表示部１の側方に発光表示部４３と上下に並んで設けている。電力表示装置１０は、アンテナ６ａが接続された無線信号送受信部６を介して受信した、電力量測定装置２０の故障などのお知らせ情報が、表示部１で表示できることを、点灯表示部４４で住戸人に知らせることができる。すなわち、住戸人は、点灯表示部４４が点滅などしている場合、表示部１の「お知らせ」の項目のアイコン（図示していない）を選択することで、電力表示装置１０の記憶部５に記憶されているお知らせ情報を表示部１に表示させることができる。
【００３６】
なお、電力表示装置１０の表示部１には、たとえば、住戸で負荷機器が現在使用している使用電力を意味する「使う」と、太陽電池が発電している発電電力を意味する「つくる」と、商用電源から住戸に供給される購入電力を意味する「買う」との各文言を、各々の電力の数値とともに表示することができる。電力表示装置１０は、設定項目の変更や表示部１の表示内の切替などを液晶表示装置のタッチセンサで行えるようにしている。電力表示装置１０は、たとえば、表示部１の画面に表示された「設定」のアイコン１ａをタッチすることで、設定項目の変更を行う画面の表示に切替えることができる。また、表示部１の表示内容は、表示部１に表示されたメニューにおける「積算」のアイコン１ｂをタッチする操作により当月の積算使用電力量などを表示する画面の表示に切り替えることもできる。
【００３７】
なお、電力表示装置１０は、箱体４０の本体部４０ｂにおける側面にアンテナ６ａを設けている。アンテナ６ａは、箱体４０の側面に沿って回転させることで箱体４０の側面側から上方に立設させたり、側面側に当接させたりすることができるように回転自在に構成している。
【００３８】
また、電力表示装置１０には、箱体４０の本体部４０ｂにおけるアンテナ６ａが設けられた側面とは反対側に、メモリカードを挿入する上記カードスロットを設けている。メモリカードは、本体部４０ｂに設けられた蓋体４６を開けて、上記カードスロットに挿入すればよい。なお、電力表示装置１０は、お知らせ用の点灯表示部４４を点滅表示させることにより、メモリカードへ上記測定電力量を書き込んでいるデータ書込中や記憶部５へ上記測定電力量を記憶させているデータ記憶中などを住戸人に知らせる構成としてもよい。
【００３９】
本実施形態の電力表示装置１０は、報知部として図示していないスピーカを備えている。制御部４は、報知部を制御してお知らせを通知したり、予め設定した設定値よりも使用電力が大きければ、住戸人に音によって報知するように構成している。電力表示装置１０は、箱体４０の本体部４０ｂにおける蓋体４６の下方に、スピーカからの音を放出するための複数個の貫通孔４７を設けている。
【００４０】
また、本実施形態の電力表示装置１０は、たとえば、卓上（図示していない）などの水平な面上において、表示部１を鉛直方向に対して傾斜させて箱体４０を立設支持することが可能な、箱体４０の背面側に配された背面支持カバー４５を箱体４０と着脱自在に備えている。本実施形態の電力表示装置１０では、表示部１を鉛直方向に対して傾斜させた箱体４０の底面と、箱体４０に取り付けられた背面支持カバー４５の底面とが同一の水平な面上に配置される。
【００４１】
ここで、背面支持カバー４５は、内部が空洞であり、矩形状の開口部４８ａが頂上側向かって徐々に小さくなるように形成している。背面支持カバー４５は、電力表示装置１０の箱体４０の背面側を覆って箱体４０と一体とできるように、背面支持カバー４５の開口端部４５ｃの外形寸法の大きさを本体部４０ｂの背面側の外形寸法の大きさに合わせている。また、背面支持カバー４５の矩形枠状の開口端部４５ｃには、開口端部４５ｃの上側において開口端部４５ｃから前方へ突出し先端部４５ａａが上方に向かうＪ字状の係合突起部４５ａを複数個（ここでは、２個）設けている。
【００４２】
同様に、背面支持カバー４５の開口端部４５ｃの下側の中央部には、背面支持カバー４５のカバー本体部４８に支持され開口端部４５ｃから前方へ突出する係合突出部４５ｂを有している。係合突出部４５ｂは、先端の係止爪４５ｂｂが下方に向かうＪ字状に形成している。また、カバー本体部４８側における係合突出部４５ｂの両側の各々には、切込部４５ｂａ，４５ｂａが設けられている。これにより係合突出部４５ｂは、カバー本体部４８に対して上下方向に変位可能に構成している。なお、切込部４５ｂａを介して係合突出部４５ｂと対向するカバー本体部４８側の開口端部４５ｃには、箱体４０の本体部４０ｂと当接したときの背面支持カバー４５の強度を高める補強部４５ｄを備えている。また、背面支持カバー４５は、背面支持カバー４５の空洞において上下方向に立設し背面支持カバー４５の強度を高める一対の内壁４５ｅ，４５ｅを設けている。さらに、背面支持カバー４５の側面には、電力表示装置１０の側面側に設けられた上記カードスロットを覆う蓋体４６の開閉時に背面支持カバー４５と干渉して開閉が妨げられないように凹部４５ａｃを形成している。
【００４３】
ここで、電力表示装置１０の箱体４０の背面側には、電力表示装置１０を駆動させるために外部からの電力を供給する電源コードの先端部に設けた電源コネクタ（図示していない）を差し込むための差込部４９ａを備えている（図４を参照）。また、カバー本体部４８の一方の側面側には、空洞側の内部にＵ字状に窪んだ窪部４５ｆが設けられている。電力表示装置１０は、背面支持カバー４５を箱体４０に装着した状態で、電力表示装置１０の背面側に設けられた差込部４９ａと上記電源コネクタとを接続して上記電源コードが窪部４５ｆの凹部４５ｆａから外部に取り回しできるように設けられている。なお、箱体４０の背面側となる本体部４０ｂには、上記電源コネクタの差込や取り外しが行い易いように凹部４０ｆａを形成している。また、本体部４０ｂには、凹部４０ｆａ内に、上記電源コードを本体部４０ｂ側との間に挟んで上記電源コードにかかる張力を止めるための複数個（ここでは、３個）のＬ字状の張力止突起部４０ｂｅを設けている。さらに、箱体４０の本体部４０ｂには、背面支持カバー４５を箱体４０から取り外した状態で、電力表示装置１０の箱体４０を壁に密着して取り付けることができるように、本体部４０ｂの下方に凹部４０ｆａと連通する切欠部４０ｆｂを設けている。
【００４４】
また、電力表示装置１０の背面側には、たとえば、無線信号送受信部６の送信や受信を行う無線信号の周波数を変更するためのディップスイッチ４９ｂを設けている。
【００４５】
背面支持カバー４５の矩形枠状の開口端部４５ｃには、係合突起部４５ａ、係合突出部４５ｂおよび窪部４５ｆが設けられた部位を除いて、開口端部４５ｃに沿って突出する嵌合突片４５ｃａが設けられている。嵌合突片４５ｃａは、箱体４０の本体部４０ｂに設けた嵌合凹所４０ｂｃと嵌合できるように設けられている。なお、嵌合凹所４０ｂｃには、嵌合突片４５ｃａを嵌合凹所４０ｂｃに嵌合させた状態で押圧するリブ４０ｂｄを設けている。
【００４６】
また、背面支持カバー４５は、係合突起部４５ａの先端部４５ａａが箱体４０の本体部４０ｂに設けた係合凹部４０ｂｂに挿入され、係合突出部４５ｂの係止爪４５ｂｂが、本体部４０ｂに設けた係止孔４０ｂｇと係合する。これにより、電力表示装置１０は、箱体４０に背面支持カバー４５が機械的に結合して装着される。
【００４７】
言い換えれば、背面支持カバー４５が電力表示装置１０の箱体４０の背面側を覆って箱体４０と一体に結合された場合、背面支持カバー４５の嵌合突片４５ｃａは、本体部４０ｂの嵌合凹所４０ｂｃと嵌合する。同様に、背面支持カバー４５が電力表示装置１０の箱体４０の背面側を覆って箱体４０と一体に結合された場合、係合突起部４５ａが箱体４０の本体部４０ｂに設けた係合凹部４０ｂｂと係り合わされる。また、背面支持カバー４５が電力表示装置１０の箱体４０の背面側を覆って箱体４０と一体に結合された場合、係合突出部４５ｂの係止爪４５ｂｂが、本体部４０ｂに設けた係止孔４０ｂｇと係合する。
【００４８】
なお、電力表示装置１０は、背面支持カバー４５を箱体４０から取り外すときにＪ字状の係合突出部４５ｂを下方から押圧して、箱体４０から背面支持カバー４５の下方を離すようにすれば、箱体４０から背面支持カバー４５の取り外し作業が簡単になる。このような箱体４０と着脱自在に構成された背面支持カバー４５は、樹脂材料の射出成形により形成することができる。
【００４９】
ここで、電力表示装置１０は、背面支持カバー４５を取り外した状態で、箱体４０の背面側を壁（図示していない）側に取り付けるため、箱体４０の背面側に取付部７を備えている（図４を参照）。取付部７は、本体部４０ｂの背面側の中央部に設けられた略矩形状の凹所７ａと、凹所７ａの一部を覆う一対の凸所７ｂ，７ｂとを備えている。各凸所７ｂは、それぞれ凹所７ａの両側面に設けられている。各凸所７ｂは、それぞれ凹所７ａの上側に設けられている。凸所７ｂは、凸所７ｂと凹所７ａとの間に間隙７ａｂを形成している。
【００５０】
電力表示装置１０の箱体４０は、予め壁に取り付けて固定された矩形板状の取付金具６１により、壁側に取り付けられる。取付金具６１は、矩形板状の長手方向の両端部にフランジ部６１ａを各々に備えている。取付金具６１は、凹所７ａの両端部よりも若干小さく形成されている。取付金具６１には、取付金具６１の厚み方向に貫通した円形状の貫通孔６１ｂが設けられている。また、取付金具６１には、取付金具６１の厚み方向に貫通し取付金具６１の短手方向に長い長円状の貫設孔６１ｃが設けられている。貫通孔６１ｂと、貫設孔６１ｃとは、取付金具６１の中央部を介して長手方向に離間して設けられている。取付金具６１は、図４の左側の一点鎖線の矢印で示す向きに貫通孔６１ｂを挿通した取付螺子６０により、壁面に螺子締めする。同様に、取付金具６１は、図４の右側の一点鎖線の矢印で示す向きに貫設孔６１ｃを挿通し取付螺子６０により、壁面に螺子締めする。取付金具６１は、長円状の貫設孔６１ｃを挿通する取付螺子６０の上下方向の位置により、壁面に対する傾きを調整することができる。取付金具６１は、壁面に螺子締めにより固定され、フランジ部６１ａが壁面側から突出する。一対のフランジ部６１ａ，６１ａは、壁面側からＬ字状に突出し先端部が互いに離れる方向に突出している。
【００５１】
電力表示装置１０は、壁面に取り付けた取付金具６１のフランジ部６１ａを、凹所７ａ内に配置させ、凸所７ｂと凹所７ａとの間の間隙７ａｂに図４の二点鎖線の矢印で示す向きで挿入する。これにより、電力表示装置１０の箱体４０は、壁面に取り付けることが可能となる。
【００５２】
なお、取付部７は、上述した凸所７ｂと凹所７ａとを利用した構造のものだけに限られず、たとえば、係合凹部４０ｂｂと突起部４０ｂａとを利用して、箱体４０を壁面に取付けてもよい。すなわち、本実施形態の電力表示装置１０の箱体４０は、背面支持カバー４５を着脱自在に保持するための係合凹部４０ｂｂと、電力表示装置１０を壁面に取り付けるための取付部７とを兼用して構成してもよい。電力表示装置１０の箱体４０は、壁側から突出したフック（図示していない）を係合凹部４０ｂｂに引っ掛けることで壁面に取付可能に構成することができる。
【００５３】
さらに、取付部７は、たとえば、箱体４０の背面側に設けた取付枠を用いて構成してもよい。すなわち、電力表示装置１０の箱体４０は、埋込型の配線器具と同様に上記取付枠を用いて取付施工がなされる構成とすることもできる。電力表示装置１０の箱体４０は、上記取付枠をスイッチボックスに固定することによって、壁面に取り付けることができる。なお、上記取付枠を壁面に木ねじで直付けしたり、壁に設けた取付孔の周部を上記取付枠に引っ掛けた挟み金具と上記取付枠との間で挟持したりするなどの施工方法により、壁面側に箱体４０を取付けてもよい。
【００５４】
本実施形態の電力表示装置１０は、背面支持カバー４５を着脱自在に備えたことにより、背面支持カバー４５を装着して卓上タイプとして使用することができる。また、本実施形態の電力表示装置１０は、背面支持カバー４５を取り外して壁掛タイプとして使用することもできる。これにより、住戸人は、たとえば、リビングや台所に電力表示装置１０を置いたりリビングなどの壁面に設置したりすることができる。また、太陽光発電システムにおける太陽電池の発電電力と、商用電源から住戸に供給される電力量とのバランスに注意し、できるだけ太陽電池の発電電力を用いて洗濯機などの負荷機器を駆動したい場合、住戸人は、洗濯機などの近傍に電力表示装置１０を置いたり、洗濯機などの近傍の壁面に設置したりすることもできる。
【００５５】
そのため、本実施形態の電力表示装置１０は、比較的簡単に設置形態を卓上タイプと壁掛タイプとに変更可能であり、たとえば、購入当初は卓上タイプとして持ち運んで使い、住戸人の生活様式が定まってから壁面に取付けを行うことができる。
【符号の説明】
【００５６】
１  表示部
１０  電力表示装置
４０  箱体
４５  背面支持カバー
【図１】
0005895233.tif 000002
【図２】
0005895233.tif 000003
【図３】
0005895233.tif 000004
【図４】
0005895233.tif 000005
【図５】
0005895233.tif 000006
【図６】
0005895233.tif 000007